(57)【要約】      （修正有）【課題】ターンテーブルの裏面に対向させて、ＦＧセンサーを搭載したセンサー基板が配備されているディスク記録再生装置において、装置全体の小型化を図る。【解決手段】ディスク記録再生装置において、マウンティング７の表面には、センサー基板６を設置すべき基板設置面７ａが形成されると共に、該基板設置面７ａ上のセンサー基板６の移動を互いに直交する２軸方向から拘束するリブ７０が突設され、センサー基板６は該リブ７０によって拘束された状態で基板設置面７ａにビス止めされている。【選択図】      図２
2004192689.tif 000002
【特許請求の範囲】
【請求項１】
シャーシ（１）上のマウンティング（７）に取り付けられたスピンドルモータ（４）と、スピンドルモータ（４）の出力軸に取り付けられたターンテーブル（５）と、マウンティング（７）上にターンテーブル（５）の裏面と対向させて設置されたセンサー基板（８）とを具え、センサー基板（８）の表面には、ターンテーブル（５）の回転速度を検出するためのセンサー（６１）が搭載されているディスク記録再生装置において、マウンティング（７）の表面には、センサー基板（６）を設置すべき基板設置面（７ａ）が形成されると共に、該基板設置面（７ａ）上のセンサー基板（６）の移動を互いに直交する２軸方向から拘束するリブ（７０）が突設され、センサー基板（６）は該リブ（７０）によって拘束された状態で基板設置面（７ａ）に固定されていることを特徴とするディスク記録再生装置における基板取付け構造。
【請求項２】
センサー基板（６）は、１本のビス（６０）によってマウンティング（７）に固定されている請求項１に記載の基板取付け構造。
【請求項３】
センサー基板（６）は、前記ビス（６０）が貫通する貫通孔（６７）の両側に２つの端部を有し、一方の端部に、互いに直交する方向に伸びる第１端面（６３）と第２端面（６４）が形成されると共に、他方の端部に、互いに直交する方向に伸びる第３端面（６５）と第４端面（６６）が形成され、マウンティング（７）のリブ（７０）は、センサー基板（６）の第１乃至第４の端面（６３）（６４）（６５）（６６）に接触すべき第１乃至第４のリブ壁（７３）（７４）（７５）（７６）を具えている請求項２に記載の基板取付け構造。
【発明の詳細な説明】
【０００１】
【発明の属する技術分野】
本発明は、ＣＤプレーヤやＤＶＤプレーヤの如きディスク記録再生装置において、ディスクの回転を検出するためのセンサーが搭載されているセンサー基板の取付け構造に関するものである。
【０００２】
【従来の技術】
従来のディスク記録再生装置においては、図３に示す如く、シャーシ（１）上に２本の互いに平行なガイドシャフト（２）（２）が架設され、該ガイドシャフト（２）（２）によってピックアップアセンブリ（３）が往復移動可能に支持されると共に、シャーシ（１）上に設置されたマウンティング（９）に、スピンドルモータ（４）が取り付けられ、該スピンドルモータ（４）の出力軸にターンテーブル（５）が固定されている。
【０００３】
又、マウンティング（９）上には、ターンテーブル（５）の裏面に対向させて、ＦＧセンサー（８１）を搭載したセンサー基板（８）が設置されている。ＦＧセンサー（８１）は、図４の如くターンテーブル（５）の裏面に一定の角度ピッチで設けられた反射面（５１）へ向けて光を発し、その反射光を検知することによって、ターンテーブル（５）の回転速度を検出するものである。
センサー基板（８）は、図３に示す如く、マウンティング（９）上に突設された２本の位置決めボス（９１）（９２）によって位置決めされると共に（例えば特許文献１参照）、ビス（８０）によってマウンティング（９）に固定されている。
【０００４】
上記ディスク記録再生装置においては、ＦＧセンサー（８１）からの信号に基づいてスピンドルモータ（４）の回転が制御され、該スピンドルモータ（４）の駆動によってターンテーブル（５）上のディスク（図示省略）が回転している状態で、ピックアップアセンブリ（３）がディスクの半径方向に移動することにより、ピックアップアセンブリ（３）に搭載されている光学式ピックアップ（３１）がディスクから信号を読み出し、或いはディスクに信号を書き込む。
【０００５】
【特許文献１】
実開平５−７３７８２号公報
【０００６】
【発明が解決しようとする課題】
しかしながら、図３に示す従来のディスク記録再生装置においては、センサー基板（８）がビス（８０）の両側で２本の位置決めボス（９１）（９２）によって位置決めされていたので、センサー基板（８）が大きなものとなり、然もマウンティング（９）の基板設置壁は強度維持のために一定以上の肉厚に形成されていたので、マウンティング（９）の高さが大きくなり、これによってディスク記録再生装置が大型化する問題があった。
そこで本発明は、ディスク記録再生装置の小型化を図ることを目的とする。
【０００７】
【課題を解決する為の手段】
本発明に係るディスク記録再生装置は、シャーシ（１）上のマウンティング（７）に取り付けられたスピンドルモータ（４）と、スピンドルモータ（４）の出力軸に取り付けられたターンテーブル（５）と、マウンティング（７）上にターンテーブル（５）の裏面と対向させて設置されたセンサー基板（６）とを具え、センサー基板（６）の表面には、ターンテーブル（５）の回転速度を検出するためのセンサー（６１）が搭載されている。
マウンティング（７）の表面には、センサー基板（６）を設置すべき基板設置面（７ａ）が形成されると共に、該基板設置面（７ａ）上のセンサー基板（６）の移動を互いに直交する２軸方向から拘束するリブ（７０）が突設され、センサー基板（６）は該リブ（７０）によって拘束された状態で基板設置面（７ａ）に固定されている。
【０００８】
上記本発明のディスク記録再生装置における基板取付け構造においては、マウンティング（７）の基板設置面（７ａ）に設置されたセンサー基板（６）が、その周囲をリブ（７０）によって拘持され、基板設置面（７ａ）上に位置決めされるので、従来の複数本の位置決めボスによる位置決め構造は不要となる。これによって、センサー基板（６）を従来よりも小型化することが可能となる。
又、マウンティング（７）の基板設置壁は、リブ（７０）の突設によって構造強度が増大し、従来よりも薄肉化したとしても、必要な強度を維持することが出来る。これによって、マウンティング（７）の高さを従来よりも小さなものとすることが可能である。
【０００９】
具体的構成において、センサー基板（６）は、１本のビス（６０）によってマウンティング（７）に固定されている。
又、センサー基板（６）は、前記ビス（６０）が貫通する貫通孔（６７）の両側に２つの端部を有し、一方の端部に、互いに直交する方向に伸びる第１端面（６３）と第２端面（６４）が形成されると共に、他方の端部に、互いに直交する方向に伸びる第３端面（６５）と第４端面（６６）が形成され、マウンティング（７）のリブ（７０）は、センサー基板（６）の第１乃至第４の端面（６３）（６４）（６５）（６６）に接触すべき第１乃至第４のリブ壁（７３）（７４）（７５）（７６）を具えている。
【００１０】
該具体的構成においては、センサー基板（６）は、ビス（６０）の両側にて、第１端面（６３）及び第２端面（６４）がリブ（７０）の第１リブ壁（７３）及び第２リブ壁（７４）に当接すると共に、第３端面（６５）及び第４端面（６６）がリブ（７０）の第３リブ壁（７５）及び第４リブ壁（７６）に当接して、互いに直交する２方向の移動が拘束されると同時に、ビス（６０）を中心とする回転が阻止されるので、正確で確実な位置決めが可能である。
【００１１】
【発明の効果】
本発明に係るディスク記録再生装置における基板取付け構造によれば、センサー基板（６）の小型化とマウンティング（７）の薄型化によって、装置全体を従来よりも小型化することが出来る。
【００１２】
【発明の実施の形態】
以下、本発明の実施の形態につき、図面に沿って具体的に説明する。
本発明に係るディスク記録再生装置においては、図１に示す如く、シャーシ（１）上に２本の互いに平行なガイドシャフト（２）（２）が架設され、該ガイドシャフト（２）（２）によってピックアップアセンブリ（３）が往復移動可能に支持されると共に、シャーシ（１）上に設置された樹脂製のマウンティング（７）に、スピンドルモータ（４）が取り付けられ、該スピンドルモータ（４）の出力軸にターンテーブル（５）が固定されている。
【００１３】
又、マウンティング（７）上には、ターンテーブル（５）の裏面に対向させて、ＦＧセンサー（６１）を搭載したセンサー基板（６）が水平に設置され、１本のビス（６０）によってマウンティング（７）に固定されている。
尚、ＦＧセンサー（６１）は、ターンテーブル（５）の裏面に一定の角度ピッチで設けられた反射面（図示省略）へ向けて光を発し、その反射光を検知することによって、ターンテーブル（５）の回転速度を検出するものである。
【００１４】
マウンティング（７）には、図２に示す如く、スピンドルモータ（４）のボス部（図示省略）を収容すべきモータ取付け孔（７１）と、スピンドルモータ（４）の取付け時にモータ出力軸を通過させるためのモータ挿入溝（７２）とが開設されている。
又、マウンティング（７）の表面には、モータ締結用のビスをねじ込むためのビス孔（７８）（７９）が凹設されている。一方、ターンテーブル（５）には、前記ビスをねじ込む際にドライバーを差し込むための貫通孔（５２）が開設されている。
【００１５】
更に、マウンティング（７）の表面には、センサー基板（６）を設置するための基板設置面（７ａ）が形成されると共に、該基板設置面（７ａ）の周囲には、センサー基板（６）の輪郭に応じて屈曲するリブ（７０）が突設されている。又、基板設置面（７ａ）には、基板締結用のビスをねじ込むためのビス孔（７７）が凹設されている。
【００１６】
センサー基板（６）には、前記ビスが貫通すべき貫通孔（６７）が開設され、該貫通孔（６７）の両側に２つの端部（６８）（６９）を有し、一方の端部（６８）に、互いに直交する方向に伸びる第１端面（６３）及び第２端面（６４）が形成されると共に、他方の端部（６９）に、互いに直交する方向に伸びる第３端面（６５）及び第４端面（６６）が形成されている。
又、センサー基板（６）には、ＦＧセンサー（６１）を外部回路と接続するためのコネクター（６２）が取り付けられている。
【００１７】
上記センサー基板（６）の形状に応じて、マウンティング（７）のリブ（７０）は、基板締結用ビス孔（７７）を包囲して伸び、一方の端部に、センサー基板（６）の第１端面（６３）及び第２端面（６４）が当接すべき第１リブ壁（７３）及び第２リブ壁（７４）を具えると共に、他方の端部に、センサー基板（６）の第３端面（６５）及び第４端面（６６）が当接すべき第３リブ壁（７５）及び第４リブ壁（７６）を具えている。
【００１８】
上記ディスク記録再生装置の組立においては、図２中に矢印で示す様に、マウンティング（７）のモータ挿入溝（７２）からモータ取付け孔（７１）へスピンドルモータ（４）及びターンテーブル（５）を挿入し、スピンドルモータ（４）をマウンティング（７）にビス止め固定する。
次に、センサー基板（６）をマウンティング（７）のリブ（７０）に向けて基板設置面（７ａ）上を滑らせながら挿入し、リブ（７０）によってセンサー基板（６）を基板設置面（７ａ）上に位置決めした後、該センサー基板（６）をマウンティング（７）にビス止め固定する。
【００１９】
センサー基板（６）の位置決め及び固定作業においては、センサー基板（６）の第１端面（６３）及び第２端面（６４）をリブ（７０）の第１リブ壁（７３）及び第２リブ壁（７４）に当接させると共に、第３端面（６５）及び第４端面（６６）をリブ（７０）の第３リブ壁（７５）及び第４リブ壁（７６）に当接させることによって、センサー基板（６）は、互いに直交する２軸方向に位置決めされることになる。
その後、ビス（６０）をマウンティング（７）にねじ込んで、センサー基板（６）をマウンティング（７）に固定する作業においては、センサー基板（６）の第１端面（６３）及び第２端面（６４）がリブ（７０）の第１リブ壁（７３）及び第２リブ壁（７４）に当接すると共に、第３端面（６５）及び第４端面（６６）がリブ（７０）の第３リブ壁（７５）及び第４リブ壁（７６）に当接して、ビス（６０）を中心とするセンサー基板（６）の回転が阻止されるので、センサー基板（６）の位置にずれが生じることはない。
【００２０】
上記本発明のディスク記録再生装置においては、マウンティング（７）の基板設置面（７ａ）に設置されたセンサー基板（６）が、その周囲をリブ（７０）によって拘持され、基板設置面（７ａ）上に位置決めされるので、従来の複数本の位置決めボスによる位置決め構造は省略されており、これによって、センサー基板（６）は従来よりも小型化されている。
又、基板設置面（７ａ）が形成されたマウンティング（７）の上壁は、リブ（７０）の突設によって構造強度が増大しているので、従来よりも薄肉化されており、その分だけマウンティング（７）の高さが従来よりも小さなものとなっている。
この結果、本発明のディスク記録再生装置は、従来装置よりも小型化されている。
【００２１】
更に本発明のディスク記録再生装置においては、センサー基板（６）の小型化に伴って、ディスクをターンテーブル（５）上まで搬送するディスクトレイ（図示書略）は、センサー基板（６）との干渉を回避するための切欠きが従来よりも小さなものとなっており、これによってディスクは従来よりも安定した姿勢で搬送されることになる。
【図面の簡単な説明】
【図１】本発明に係るディスク記録再生装置の斜視図である。
【図２】マウンティングからスピンドルモータ及びセンサー基板を取り外した状態を示す斜視図である。
【図３】従来のディスク記録再生装置の斜視図である。
【図４】ターンテーブルの裏面図である。
【符号の説明】
（１）  シャーシ
（２）  ガイドシャフト
（３）  ピックアップアセンブリ
（４）  スピンドルモータ
（５）  ターンテーブル
（６）  センサー基板
（６１）  ＦＧセンサー
（６３）  第１端面
（６４）  第２端面
（６５）  第３端面
（６６）  第４端面
（６７）  貫通孔
（６０）  ビス
（７）  マウンティング
（７０）  リブ
（７３）  第１リブ壁
（７４）  第２リブ壁
（７５）  第３リブ壁
（７６）  第４リブ壁
（７７）  基板締結用ビス孔
【図１】
2004192689.tif 000003
【図２】
2004192689.tif 000004
【図３】
2004192689.tif 000005
【図４】
2004192689.tif 000006